(57)【特許請求の範囲】
【請求項１】
記憶媒体を着脱可能な第１の装着部と、
記憶媒体を着脱可能な第２の装着部と、
前記第１の装着部に装着された第１の記憶媒体に第１のアクセススピードでアクセスし、前記第２の装着部に装着された第２の記憶媒体に第２のアクセススピードでアクセスするアクセス部と、
前記アクセス部が前記第１の記憶媒体と前記第２の記憶媒体とに同時にアクセスした際に、アクセスに要する電流値の合計が所定の電流値を超えないように前記第１のアクセススピードおよび第２のアクセススピードの少なくとも一方を制御する制御部と、を備え、
前記制御部は、前記アクセス部が前記第１の記憶媒体に対してアクセス可能な最大アクセススピードである第１の最大アクセススピードで前記第１の記憶媒体にアクセスすることを許容するとともに、前記アクセス部が前記第２の記憶媒体に対してアクセス可能な最大アクセススピードである第２の最大アクセススピードよりも低速のアクセススピードで前記第２の記憶媒体にアクセスするように制御することを特徴とする電子機器。
【請求項２】
請求項１に記載の電子機器において、
前記アクセス部が前記第１の記憶媒体から読み出すまたは前記第１の記憶媒体に書き込むデータ量が、前記アクセス部が前記第２の記憶媒体から読み出すまたは前記第２の記憶媒体に書き込むデータ量よりも大きい場合には、前記制御部は、前記アクセス部が前記第１の最大アクセススピードで前記第１の記憶媒体にアクセスすることを許容するとともに、前記第２の最大アクセススピードよりも低速のアクセススピードで前記第２の記憶媒体にアクセスするように制御することを特徴とする電子機器。
【請求項３】
請求項１または２に記載の電子機器と、
被写体を撮像して画像データを出力する撮像部と、を備え、
前記アクセス部は、前記撮像部から出力された画像データを前記第１の記憶媒体に前記第１のアクセススピードで書き込むとともに、前記撮像部から出力された画像データを前記第２の記憶媒体に前記第２のアクセススピードで書き込む書き込み部を含むことを特徴とするデジタルカメラ。
【請求項４】
請求項３に記載のデジタルカメラにおいて、
前記アクセス部は、前記第１の記憶媒体に記憶されている画像データを前記第１のアクセススピードで読み出すとともに、前記第２の記憶媒体に記憶されている画像データを前記第２のアクセススピードで読み出す読み出し部をさらに含むことを特徴とするデジタルカメラ。
【発明の詳細な説明】
【技術分野】
【０００１】
本発明は、電子機器及びデジタルカメラに関する。
【背景技術】
【０００２】
複数のメディアスロットを備え、複数の記憶メディアを扱うことを可能としたデジタルカメラが知られている。この種のデジタルカメラにおいては、メディアスロットに記録不可能な記憶メディアが装着されているなど、記録不可能な状態のスロットが混在している場合に対処するために、予め記録の可否を検知し、記録不可と検知されたスロットを記録スロットに設定しないように制御している。（例えば、特許文献１参照）。
【先行技術文献】
【特許文献】
【０００３】
【特許文献１】特開２００５−２５３０５７号公報
【発明の概要】
【発明が解決しようとする課題】
【０００４】
しかしながら、上述した複数のメディアスロットを備えたカメラでは、記録可として記録スロットに設定されたスロットが複数ある場合は、これら複数の記録スロットに同時に画像データを記録することとなり、同時記録中は消費電流が増大するという事態を招く。これに対処するために、電源回路の大型化が必要になるが、例えばポータブル電子機器のように回路設置スペースが限られた機器においては、電源回路を大型とするのは問題がある。
【課題を解決するための手段】
【０００５】
請求項１の発明による電子機器は、記憶媒体を着脱可能な第１の装着部と、記憶媒体を着脱可能な第２の装着部と、前記第１の装着部に装着された第１の記憶媒体に第１のアクセススピードでアクセスし、前記第２の装着部に装着された第２の記憶媒体に第２のアクセススピードでアクセスするアクセス部と、前記アクセス部が前記第１の記憶媒体と前記第２の記憶媒体とに同時にアクセスした際に、アクセスに要する電流値の合計が所定の電流値を超えないように前記第１のアクセススピードおよび第２のアクセススピードの少なくとも一方を制御する制御部と、を備え、前記制御部は、前記アクセス部が前記第１の記憶媒体に対してアクセス可能な最大アクセススピードである第１の最大アクセススピードで前記第１の記憶媒体にアクセスすることを許容するとともに、前記アクセス部が前記第２の記憶媒体に対してアクセス可能な最大アクセススピードである第２の最大アクセススピードよりも低速のアクセススピードで前記第２の記憶媒体にアクセスするように制御することを特徴とする。
【発明の効果】
【０００６】
本発明の電子機器によれば、電源回路を大型化することなく、複数の記憶媒体装着部をともに作動することができる。
【図面の簡単な説明】
【０００７】
【図１】本発明の実施の形態に係るデジタルカメラの構成を示すブロック図である。
【発明を実施するための形態】
【０００８】
＜第１の実施の形態＞
以下、本発明の第１の実施の形態によるデジタルカメラ１００について、図面を参照しながら説明する。
【０００９】
−デジタルカメラの構成−
図１を参照すると、デジタルカメラ１００は、撮影レンズ１１と、撮像素子１２と、ＡＦＥ（Ａｎａｌｏｇ Ｆｒｏｎｔ Ｅｎｄ）回路１３と、ＴＧ（Ｔｉｍｉｎｇ Ｇｅｎｅｒａｔｏｒ）回路１４と、画像処理エンジン１５とを備える。また、デジタルカメラ１００は、第１の記録Ｉ／Ｆ（インターフェース）スロット２１と、第２の記録Ｉ／Ｆ（インターフェース）スロット２２と、外部Ｉ／Ｆ（インターフェース）２３と、操作部材２４と、バッファメモリ２５と、不揮発性メモリ２６とを備える。さらに、デジタルカメラ１００は、音声処理部３１と、マイク３２と、スピーカ３３と、モニタ駆動部３４と、モニタ３５と、電源回路４０と、電池４１とを備える。
【００１０】
撮影レンズ１１は、ズームレンズやフォーカスレンズを含む複数のレンズで構成され、被写体像を撮像素子１２の撮像面に結像する。図１では簡単のため、撮影レンズ１１は１枚のレンズで示されている。
撮像素子１２は、例えば、画素に対応する複数の光電変換素子を備えたＣＣＤイメージセンサによって構成され、撮像面上に結像されている被写体像を撮像し、被写体像の明るさに応じた光電変換信号を出力する。
【００１１】
ＡＦＥ回路１３は、撮像素子１２から出力される光電変換信号に対するアナログ処理（ゲインコントロール、相関二重サンプリングなど）を行うと共に、アナログ処理後の画像信号をデジタル画像データに変換する。
ＴＧ回路１４は、画像処理エンジン１５から送出される指示に応じてタイミング信号をＡＦＥ回路１３、撮像素子１２などの各ブロックに送出し、このようにカメラ全体のタイミング管理を行う。
【００１２】
画像処理エンジン１５は、画像処理及びシステム制御を行う。画像処理としては、ＡＦＥ回路１３から入力されるデジタル画像信号に対する、例えば、輪郭強調や色温度調整（ホワイトバランス調整）処理や、画像信号に対するフォーマット変換処理がある。
システム制御としては、各ブロックから出力される信号を入力して所定の情報を検知したり、所定の演算を行って演算結果に基づく制御信号を各ブロックへ出力する。すなわち、画像処理エンジン１５は、不揮発性メモリ２６に格納されているプログラムを実行することによってデジタルカメラ１００が行う動作を統括的に制御する。
【００１３】
第１及び第２の記録Ｉ／Ｆスロット２１，２２は、例えばメモリカード等の記憶媒体２１Ａ，２２Ａを着脱可能に装着することができるスロットを有するインターフェースである。記憶媒体２１Ａ，２２Ａをそれぞれ第１及び第２の記録Ｉ／Ｆスロット２１，２２のスロットに装着することにより、画像処理エンジン１５は、記憶媒体２１Ａ，２２Ａに対するデータの書き込みや、記憶媒体からのデータの読み出しを行う。例えば、デジタルカメラ１００が撮影モードに設定されているときは、撮像素子１２により撮像された撮影画像のデータを記憶媒体２１Ａ，２２Ａに画像ファイルとして保存し、再生モードに設定されているときは、記憶媒体２１Ａ，２２Ａに保存されている画像データを読み出して、画像データに基づく再生画像をモニタ３５に表示することができる。
【００１４】
画像処理エンジン１５は、具体的には、第１及び第２の記録Ｉ／Ｆスロット２１，２２にそれぞれ装着された記憶媒体２１Ａ，２２Ａの種類情報を判別する判別部１５ａと、記憶媒体２１Ａ，２２Ａへのアクセスを実行するアクセス部１５ｂと、アクセス部１５ｂのアクセススピードを制御する制御部１５ｃとを含む。
ここで、アクセスとは、記憶媒体へのデータ書き込みと記憶媒体からのデータ読み出しとを含む概念である。また、アクセススピードとは、記憶媒体に対するデータの書き込み速度と読み出し速度とを含む概念である。一般に、アクセススピードが大きくなるにつれて記録Ｉ／Ｆスロットの消費電流は増加してゆく。
【００１５】
なお、判別部１５ａが判別する記憶媒体２１Ａ，２２Ａの種類情報とは、例えばメモリカードであれば、コンパクトフラッシュ（ＣＦ）（登録商標）、ＳＤカードなどのメモリカードの種類や、ＵＤＭＡ（Ｕｌｔｒａ  Ｄｉｒｅｃｔ  Ｍｅｍｏｒｙ  Ａｃｃｅｓｓ）規格対応か非対応かの情報や、データ転送速度などに関する情報などである。
【００１６】
外部Ｉ／Ｆ２３は、例えばＵＳＢであり、外部機器（パーソナルコンピュータやクレードル等）とデジタルカメラ１００のバスとを接続するインターフェースである。外部機器とデジタルカメラ１００は、画像処理エンジン１５からの指示により外部Ｉ／Ｆ２３を介してデータを送受信する。
【００１７】
操作部材２４は、デジタルカメラ１００のメインスイッチ（電源スイッチ）、レリーズボタン、再生スイッチ、選択／設定スイッチなどを含み、ユーザーが各スイッチ類を操作すると、その操作に対応する操作信号が画像処理エンジン１５へ出力される。
【００１８】
バッファメモリ２５は、ＤＲＡＭなどによって構成され、画像処理前後および画像処理途中のデータや、画像処理エンジン１５が取得する各種情報を一時的に格納する他、記憶媒体２１Ａ，２２Ａへ記録する前の画像ファイルを格納したり、記憶媒体２１Ａ，２２Ａから読み出した画像ファイルを格納するワークメモリとして使用される。
不揮発性メモリ２６は、画像処理エンジン１５が実行するプログラムを格納している。
【００１９】
音声処理部３１は、画像処理エンジン１５から送出される指示信号に応じてマイク３２の出力信号をデジタル信号に変換したり、画像処理エンジン１５が出力するデジタル信号をスピーカ３３用の電気信号に変換する。
マイク３２から入力され、デジタル信号に変換された音声データは、記憶媒体２１Ａまたは２２Ａに書き込まれ、記憶媒体２１Ａまたは２２Ａの音声データは、スピーカ３３により音声として再生される。
【００２０】
モニタ駆動部３４は、モニタ３５の画面の明るさ（表示輝度）などを調整する。また、モニタ駆動部３４は、画像処理エンジン１５から送出される指示信号に応じて、画像データに基づく再生画像や、操作部材２４の操作に応じてメッセージやメニューなどをモニタ３５に表示させるとともに、その時の表示態様を変更する。
モニタ３５は、モニタ駆動部３４からの指示信号に応じて画像や操作メニューなどを表示する。
【００２１】
電源回路４０は、電池検出回路、ＤＣ／ＤＣコンバータ、通電する各ブロックを切り換えるスイッチ回路等を含み、ＤＣ／ＤＣコンバータにより、電池４１の電圧を各ブロックに適する電圧に変換して、各ブロックへ電力を供給する。
また、電源回路４０が第１及び第２の記録Ｉ／Ｆスロット２１，２２に供給する合計電流は、最大電流Ｉmaxに制限されている。この最大電流Ｉmaxは、第１の記録Ｉ／Ｆスロット２１に装着される記憶媒体２１Ａの最大アクセススピード時に供給される電流Ｉaと、第２の記録Ｉ／Ｆスロット２２に装着される記憶媒体２２Ａの最大アクセススピード時に供給される電流Ｉbとの大きい方の電流値よりも大きく、かつ、両電流の合計の電流値（Ｉa＋Ｉb）よりも小さく定められている。
【００２２】
なお、本実施の形態においては、画像処理エンジン１５は、常に第１の記録Ｉ／Ｆスロット２１を第２の記録Ｉ／Ｆスロット２２に比べて優先アクセスするように設定されている。具体的には、第１及び第２の記録Ｉ／Ｆスロット２１，２２の両方にそれぞれ記憶媒体２１Ａ，２２Ａが装着されている時には、第１の記録Ｉ／Ｆスロット２１に装着された記憶媒体２１Ａに対して最大アクセススピードでアクセスするように設定されている。
【００２３】
−デジタルカメラの動作−
次に、第１の実施の形態によるデジタルカメラ１００の動作を説明する。
先ず、図１に示す第１の記録Ｉ／Ｆスロット２１にのみ記憶媒体２１Ａが装着され、第２の記録Ｉ／Ｆスロット２２には記憶媒体２２Ａが装着されていない場合について説明する。
【００２４】
撮影モード時には、撮像素子１２からの撮像信号は、画像処理エンジン１５で画像処理され、画像データとなって記憶媒体２１Ａに記録される。この記録の動作において、画像処理エンジン１５の制御部１５ｃは、アクセス部１５ｂが記憶媒体２１Ａの最大アクセススピードでアクセスできるように、電源回路４０が第１記録Ｉ／Ｆスロット２１に供給する電流値を設定する。これにより、画像データの記憶媒体２１Ａへの書き込みは、記憶媒体２１Ａの最大書き込み速度で実行される。
同様に、再生モード時にも画像処理エンジン１５は、記憶媒体２１Ａから画像データを読み出す際に、記憶媒体２１Ａの最大アクセススピードで読み出し、モニタ３５に表示する。
【００２５】
次に、第１の記録Ｉ／Ｆスロット２１には記憶媒体２１Ａが装着されずに、第２の記録Ｉ／Ｆスロット２２にのみ記憶媒体２２Ａが装着された場合の動作を説明する。
撮影モード時及び再生モード時に、制御部１５ｃは、アクセス部１５ｂが記憶媒体２２Ａの最大アクセススピードでアクセスできるように、電源回路４０が第２記録Ｉ／Ｆスロット２２に供給する電流値を設定する。これにより、画像データの記憶媒体２２Ａへの書き込み又は読み出しは、記憶媒体２２Ａの最大アクセススピード、即ち、最大の書き込み速度又は読み出し速度で実行される。
【００２６】
次に、第１及び第２の記録Ｉ／Ｆスロット２１，２２に、それぞれ記憶媒体２１Ａ，２２Ａが装着された場合について説明する。
判別部１５ａが判別した記憶媒体２１Ａ，２２Ａの種類情報に基づいて、制御部１５ｃは、記憶媒体２１Ａの最大アクセススピード時の電流値Ｉaと記憶媒体２２Ａの最大アクセススピード時の電流値Ｉbとを算出し、この合計電流（Ｉa＋Ｉb）を算出し、この合計電流（Ｉa＋Ｉb）が、第１及び第２の記録Ｉ／Ｆスロット２１，２２に供給できる最大電流Ｉmaxを超えるか否かを判別する。この実施の形態では、最大電流Ｉmaxは、合計電流（Ｉa＋Ｉb）よりも小さく定められているので、制御部１５ｃは、合計電流（Ｉa＋Ｉb）が最大電流Ｉmaxを超えると判別する。
【００２７】
この判別により、制御部１５ｃは、記憶媒体２１Ａへのアクセスを最大アクセススピードで行うための電流値をＩaに設定し、記憶媒体２２Ａへのアクセスは電流値（Ｉmax−Ｉa）以下で行うように制御する。こうして、アクセス部１５ｂは、撮影モード時において、撮影画像データを記憶媒体２１Ａにその最大アクセススピードで書き込み、同時に撮影画像データを記憶媒体２２Ａにその最大アクセススピードよりも小さいアクセススピードで書き込む。
この撮影モード時に、記憶媒体２２Ａには、撮影画像データの代わりにマイク３２から入力された音声データを記録する場合もあるが、音声データは、画像データに比べ、情報量が少ないので、アクセススピードが小さく定められても、何ら支障を生じないであろう。
再生モード時も同様に、記憶媒体２１Ａ、２２Ａから画像データを同時に読み出す際には、記憶媒体２１Ａからの読み出しをその最大アクセススピードで行い、記憶媒体２２Ａからの読み出しをその最大アクセススピードよりも小さいアクセススピードで行う。
【００２８】
なお、第２の記録Ｉ／Ｆスロット２２には記憶媒体２２Ａとは別の記憶媒体２２Ｃ（不図示）が装着され、記憶媒体２１Ａの最大アクセススピード時の電流値Ｉａと上記の別の記憶媒体２２Ｃの最大アクセススピード時の電流値Ｉcとの合計電流値（Ｉa＋Ｉc）が最大電流Ｉmaxよりも小さい場合には、記憶媒体２１Ａと別の記憶媒体２２Ｃは、それぞれの最大アクセススピードでもって同時に、書き込み又は読み出しを行うことができる。
【００２９】
これにより、記憶媒体２１Ａ，２２Ａに同時にアクセスする場合でも、第１及び第２の記録Ｉ／Ｆスロット２１，２２への合計供給電力は、常に最大電流Ｉmax以下に維持することができる。画像データの記憶媒体２１Ａへの書き込み又は読み出しは、記憶媒体２１Ａの最大アクセス速度で実行され、画像データの記憶媒体２２Ａへの書き込み又は読み出しは、記憶媒体２２Ａの最大アクセス速度よりも低速で実行される。
【００３０】
上述の実施の形態のデジタルカメラ１００は以下の作用効果を奏する。
（１）記憶媒体２１Ａ，２２Ａに同時にアクセスする場合でも、第１及び第２の記録Ｉ／Ｆスロット２１，２２への合計供給電力は常に最大電流Ｉmax以下に維持することができ、電源回路４０の小型化を実現できる。
なお、上記の説明では、画像処理エンジン１５は、常に第１記録Ｉ／Ｆスロット２１を第２記録Ｉ／Ｆスロット２２に比べて優先アクセスするように設定されているが、ユーザーが操作部材２４を操作して優先すべき記録Ｉ／Ｆスロットをマニュアルで設定してもよい。
【００３１】
＜第２の実施の形態＞
第１の実施の形態では、第１記録Ｉ／Ｆスロット２１の方を優先して、これに装着された記憶媒体２１Ａに対して最大アクセススピードでアクセスするものであったが、第２の実施の形態は、記憶媒体２１Ａ，２２Ａにそれぞれ記録するデータ量の大小に基づいて優先すべき記録Ｉ／Ｆスロットを自動設定するものである。
【００３２】
被写体を撮影して得られた撮影画像データを記憶媒体２１Ａ，２２Ａへ同時に記録する場合について説明する。具体的には、撮影モードにおいて、撮像素子１２からの画像信号をＡＦＥ回路１３と画像処理エンジン１５とによって、ＲＡＷ画像データ及びＪＰＥＧ圧縮のＢＡＳＩＣ画像データに変換して、このＲＡＷ画像データを第１の記録Ｉ／Ｆスロット２１の記憶媒体２１Ａに、ＪＰＥＧ圧縮のＢＡＳＩＣ画像データを第２の記録Ｉ／Ｆスロット２２の記憶媒体２２Ａにそれぞれ同時に記録する場合を説明する。
【００３３】
画像処理エンジン１５は、記憶媒体２１Ａに記録されるＲＡＷ画像データのデータ量と記憶媒体２２Ａに記録されるＪＰＥＧ圧縮のＢＡＳＩＣ画像データのデータ量とを比較して、ＲＡＷ画像データのデータ量がＪＰＥＧ圧縮のＢＡＳＩＣ画像データのデータ量よりも大きいことを検出する。
この検出に基づき、制御部１５ｃは、記憶媒体２１Ａへのアクセスを最大アクセススピードで行うために第１記録Ｉ／Ｆスロット２１へ供給する電流値をＩaに設定し、他方、記憶媒体２２Ａへのアクセスは電流値（Ｉmax−Ｉa）以下で行うように制御する。
こうして、ＲＡＷ画像データの記憶媒体２１Ａへの書き込みは、記憶媒体２１Ａの最大書き込み速度で実行され、ＢＡＳＩＣ画像データの記憶媒体２２Ａへの書き込みは、記憶媒体２２Ａの最大書き込み速度よりも低速で実行される。
【００３４】
同様に、撮影画像データを第１記録Ｉ／Ｆスロット２１の記憶媒体２１Ａへ、録音した音声データを第２記録Ｉ／Ｆスロット２２へそれぞれ記録する場合、データ量の大きい撮影画像データを記録する記憶媒体２１Ａへのアクセスを最大アクセススピードで行う。制御部１５ｃは、記憶媒体２１Ａへのアクセスを最大アクセススピードで行うための第１記録Ｉ／Ｆスロット２１へ供給する電流値をＩaに設定し、他方、記憶媒体２２Ａへのアクセスは電流値（Ｉmax−Ｉa）以下で行うように制御する。
【００３５】
再生モード時に記憶媒体２１Ａと記憶媒体２２Ａとから同時にデータを読み出す場合も撮影モードの場合と同様に、記憶媒体２１Ａから読み出すべきデータ量と記憶媒体２２Ａから読み出すべきデータ量とを比較して、データ量の大きい方の記憶媒体をその最大アクセス速度で読み出し、データ量の小さい方の記憶媒体をその最大アクセス速度よりも小さな速度で読み出す。
以上のように、この第２の実施の形態にあっては、第１及び第２の記憶媒体に同時にデータを書き込む又は読み出す場合に、それらのデータ量の大小を比較して、データ量が大きい方の記憶媒体をその最大アクセス速度で書き込み又は読み出し、データ量が小さい方の記憶媒体をその最大アクセス速度よりも小さい速度で書き込み又は読み出すので、第１及び第２の記録Ｉ／Ｆスロット２１，２２への合計供給電力は常に最大電流Ｉmax以下に維持することができ、電源回路４０の小型化を実現できると共に、その最大アクセス速度よりも小さい速度でアクセスされる記憶媒体は、書き込まれる又は読み出されるデータ量が小さいので、低速化の影響を抑制することができる。
【００３６】
第１及び第２の記録Ｉ／Ｆスロット２１、２２のどちらを優先するかを装着される記憶媒体の動作モードによって、決定することもできる。
撮影画像データを、動作モードが高速のＵＤＭＡ規格対応の記憶媒体２１Ａと、ＵＤＭＡ規格非対応の記憶媒体２２Ａとに同時に記録する場合について説明する。
判別部１５ａは、記憶媒体２１Ａ，２２Ａの種類情報、即ち、ＵＤＭＡ規格対応か否かを判別する。
この判別に基づき、制御部１５ｃは、記憶媒体２１Ａへのアクセスを最大アクセススピードで行うための電流値をＩaに設定し、記憶媒体２２Ａへのアクセスは電流値（Ｉmax−Ｉa）以下で行うように制御する。したがって、アクセス部１５ｂは、記憶媒体２１Ａへのアクセスは最大アクセススピードで行い、記憶媒体２２Ａへのアクセスは最大アクセススピードよりも低速で行うように制限される。
記憶媒体２１Ａ、２２Ａからのデータの読み出しの場合も全く同様である。
【００３７】
これにより、記憶媒体２１Ａ，２２Ａに同時にアクセスする場合でも、第１及び第２の記録Ｉ／Ｆスロット２１，２２への合計供給電力は常に最大電流Ｉmax以下に維持することができる。
【００３８】
上記の実施の形態の変形例は以下のとおりである。
記憶媒体２１Ａ，２２Ａは、同種のメモリカードでもよいし、異種のメモリカードでもよい。もちろん、異種のメモリカードを用いるときは、第１及び第２の記録Ｉ／Ｆスロット２１，２２もそれぞれのメモリカードに対応するものを用いる。
第１及び第２の実施の形態では、記憶媒体２１Ａ，２２Ａへの同時アクセスは、両者ともに書き込み又は読み出しであったが、記憶媒体２１Ａから記憶媒体２２Ａへのデータ転送（バックアップ）のように、一方の記憶媒体が読み出し、他方の記憶媒体が書き込みの動作に対しても本発明は適用できる。
第１及び第２の実施の形態では、第１及び第２の記録Ｉ／Ｆスロット２１，２２の２台の記録Ｉ／Ｆスロットについて説明したが、記録Ｉ／Ｆスロットを３台以上備えるデジタルカメラにも本発明は適用できる。
第１及び第２の実施の形態では、デジタルカメラについて説明したが、被写体を撮像する撮像部を有さないカードリーダー、デジタルフォトフレーム、携帯電話等にも本発明は適用できる。
本発明は、その特徴を損なわない限り、以上説明した実施の形態に何ら限定されるものではない。
【符号の説明】
【００３９】
１１：撮影レンズ                      １２：撮像素子
１５：画像処理エンジン                １５ａ：判別部
１５ｂ：アクセス部                    １５ｃ：制御部
２１：第１の記録Ｉ／Ｆスロット        ２２：第２の記録Ｉ／Ｆスロット
２１Ａ，２２Ａ：記憶媒体              ２４：操作部材
４０：電源回路                        ４１：電池
１００：デジタルカメラ
【図１】
0005463881.tif 000002